(57)【要約】      （修正有）【課題】開口部分が狭く、底面部分が広い立体形状物品類に対して、新用途を開発する為に発明された媒体物と挿入品の組み合わせを提供する。【解決手段】媒体物として、開口部分口径より大きい形状素材で作った、開口部分脱落防止用部分１に、糸２を付けた物を本体Ａとし、本体の糸２の先に、直接、開口部分を通過できる各種挿入品を取り付けた、一体型の媒体物を基本型とする。又、基本型本体の糸２の先に、釣り針様式部分４を付けた物を、応用型本体とし、応用型本体との組み合わせとなる、挿入品と挿入物品飛散防止用二重部分付き収納袋６は、いずれも、釣り針様式部分４との取り付け穴部分、アを設けてある。又、本体の糸２の先に挿入物品飛散防止用二重部分付き収納袋６を直接取り付けた一体型の媒体物もある。いずれの挿入物品飛散防止用二重部分付き収納袋６は専用挿入バッグ類オの他、自家製の物品を入れての、単独使用もできる。【選択図】図１０
2005134860.tif 000002
【特許請求の範囲】
【請求項１】
開口部分脱落防止用部分１を取り付けた、糸２の先に、目的別挿入品を直接取り付けた一体型。
以上の様に構成された、開口部分が狭く、底面部分の広い立体形状物品類の媒体物と挿入品との組み合わせ。
【請求項２】
開口部分脱落防止用部分１を取り付けた、糸２の先に、三角形状、又はＵ型の形状に玉止め部分ウを設けた、釣り針様式部分４を取り付けた媒体物と、釣り針様式取り付け穴部分アの付いた目的別挿入品５。
以上の様に構成された、開口部分が狭く、底面部分の広い立体形状物品類の媒体物と挿入品との組み合わせ。
【請求項３】
開口部分脱落防止用部分１を取り付けた、糸２の先に、三角形状、又はＵ型の形状に玉止め部分ウを設けた、釣り針様式部分４を取り付けた媒体物と、釣り針様式取り付け穴部分アが付いて、上部や側面部に、挿入物品飛散防止用二重部分エを付けた、挿入品用平形及び立体形収納袋６及び目的別収納袋専用挿入バッグ類オ。
以上の様に構成された、開口部分が狭く、底面部分の広い立体形状物品類の媒体物と挿入品との組み合わせ。
【請求項４】
開口部分脱落防止用部分１を取り付けた、糸２の先に、上部や側面部に、挿入物品飛散防止用二重部分エを付けた、挿入品用平形及び立体形収納袋６を直接取り付けた一体型以上の様に構成された、開口部分が狭く、底面部分の広い立体形状物品類の媒体物と挿入品との組み合わせ。
【請求項５】
利用上の必要性に於いて、媒体物の開口部分脱落防止用部分１に、糸巻きや糸止め用の溝イを付ける。
【請求項６】
媒体物開口部分脱落防止用部分１に、文字、絵柄の印刷、及び、記入が片面、又は両面に出来る。
【請求項７】
挿入物品飛散防止用二重部分付き収納袋６は、収納袋専用バッグ類オでの使用の他、自家製の物品を入れての、単独使用も出来る。
【発明の詳細な説明】
【技術分野】
【０００１】本発明は、開口部分が狭く、底面部分が広い立体形状物品類の媒体物と、挿入品との組み合わせに関するもので、井戸の水を汲み上げるのに、専用のバケツが必要な様に、いわゆるバケツの役目を担う媒体物を仲介役として、主にペットボトル類やビン類を中心に、その他にも水筒やブーツ類等々の、媒体物と挿入品との組み合わせにより、新用途の開発や利便性の向上を目的としたものである。
【背景技術】
【０００２】従来、ペットボトル類や、ビン類、水筒類は、保存用容器等としての役割が強く、その他の用途はほとんどなかった。ブーツ類に関しても、脱臭、乾燥用品への開発も発展途上段階であった。【０００３】これは、ペットボトル類やビン類に関しては、保存容器以外の用途の拡大と、実施の為には、いくつかの問題解決が必要な事と、使い捨て容器との感覚の為、実現化に至らなかった。又、水筒類やブーツ類の新用途の開発や利便性の向上目的の商品も少ない現状である本発明の、開口部分が狭く、底面部分が広い立体形状物品類の媒体物と、挿入品との組み合わせに関しては、先行技術調査では該当技術はなかった。
【発明の開示】
【発明が解決しょうとする課題】
【０００４】解決しょうとする問題点は、ペットボトル類、ビン類、水筒類のボトル口の狭さであり、まずこの点を解決し、多種多様の利用に結びつけなければならない。
そして、ペットボトル類等々のボトル口から、中身の入った液体に対しては、簡便に出し入れできる方式が望ましく、空きボトル、ビン等は用途によっては、この限りではない。そして、上記課題がすべて解決することで、広範囲の利用が可能となる為、新たな課題として、ペットボトル類等々の中身の様々な液体にも対応出来ること、又、空きボトル使用についても、別注の創作ボトルの使用についても、新用途の可能性を拡大していくことである。ブーツ類については、形状的に、臭いがこもりやすい、乾燥しにくい、という欠点があり、簡単で且つ、自由に出し入れできる、強力な脱臭剤等が望まれるところであった
【課題を解決するための手段】
【０００５】本発明は、これらの課題を解決する手段として、ペットボトル類等々の中身の、液体のみに限らず、空ボトルや創作ボトル類の利用についても、多種多様の用途の実現の為にはボトル口から容易に通過できる媒体物、及び、ボトル口から容易に通過できる各用途の、挿入品との組み合わせにより、解決していくものである。
主に、ペットボトル類等々のボトル口からの出し入れが自由なっても、媒体物及び、挿入品がボトル内に脱落しないようにする事と、衛生上でも、キャップが閉められる事、の解決方法が必要になってくるが、媒体物に、開口部分脱落防止部分を設ける事と、キャップを閉め、挟んでも特に影響の少ない糸を、媒体物に使用する事で、ほとんど解決できる。又、糸の太さも、極細から極太迄の使用を、製品化の段階で決定していく。これらを図面で説明すると、ペットボトル類等々の媒体物として、文字等も記入でき、開口部分口径より大きい素材等で、糸巻き溝や糸止め部分溝イもある、開口部分脱落防止用部分１に、キャップを閉めても特に影響の少ない、糸２を付けた物を本体Ａとする。発明品全体を通じて、この基本的構造を起源とし、多少の改変を加えてゆくものである。
本体Ａの糸２の先に、直接、開口部分を通過できる各種挿入品を取り付けた、一体型の媒体物を基本型とする。
基本型とは別に、本体Ａの糸２の先に、釣り針様式部分４を付けた物を、媒体物応用型本体Ａ１とする。
媒体物応用型本体Ａ１との組み合わせとなる、挿入品５は、釣り針様式部分４との取り付け穴部分アを設けてある。
更に、媒体物応用型Ａ１との組み合わせとなる、挿入物品飛散防止用二重部分付き収納袋６は、同じく釣り針様式部分４との取り付け穴部分アを設けてある。
媒体物本体Ａの糸２の先に、直接、挿入物品飛散防止用二重部分付き収納袋６を取り付けた一体型の媒体物もある。そして、収納袋の材質は、飲料用であれば、ネット状やフィルター状の抽出素材が必要で、それ以外の用途の場合は、適当な材質で対応する。又、いずれの挿入物品飛散防止用二重部分付き収納袋６は、専用挿入バッグ類オの他、自家製の物品を入れての、単独使用もできる。
【発明の効果】
【０００６】今迄、本発明品に該当する媒体物、及び挿入品との組み合わせがなかったために、ペットボトル類や、ビン類、水筒類、その他のブーツ類等々の開発の糸口となり、今後は新用途の開発次第によって、数々の商品が誕生するものと想像できる。
【発明を実施するための最良の形態】
【０００７】本発明品を実施していくためには、例えば、媒体物の開口部分脱落防止用部分１をハート形にして、お祝い用文字を主体として提供の場合は、糸巻きや糸止め溝部分を排除しなければハート形が生かされない。この場合、糸２の長さを調整すれば解決するので、糸巻きや糸止め溝部分を排除して、作成する。
又、飲料用として作成する場合、媒体物の開口部分脱落防止用部分１は、糸巻きや糸止め溝部分があると１リットルボトル、５００ミリリットルボトル等、内容量によって糸２を調整できるので、糸巻きや糸止め溝部分を取り付けて作成する。
以下に、本発明品の基本的実施方法を、実施例で示したが、媒体物の用途による改変が媒体品の開発可能性につながることから、将来の応用的実施を踏まえ、その基となる開口部分が狭く、底面部分が広い立体形状物品類の媒体物と挿入品を、図面により説明してゆく
【実施例１】
【０００８】図７は飲料用ペットボトル類や、ビン類の媒体物と挿入品で、楕円形で糸巻や糸止め部分イを付けた開口部分脱落防止用部分１と糸２の媒体物に、直接バッグの挿入品をつけた、一体型の基本型を使用中である。又、応用型も各用途に応じての使用が考えられる。
【実施例２】
【０００９】図８は贈答用ペットボトル類や、ビン類の媒体物と挿入品で、ハート形で、糸巻きや糸止め溝イ部分のない開口部分脱落防止用部分１に、お祝い用メッセージを書き込み糸２の先に、釣り針様式部分４をつけた応用型Ａ１の媒体物に、釣り針様式部分４との取り付け穴部分アの設けられた、メッセージカード類の挿入品５である。この場合創作ボトル使用であり、且つ、転倒防止用おもり部分カを、ボトルの底に付けて有る。挿入物品飛散防止用二重部分エの付いた収納袋６を含む、セット引き出物は、図９で示した。又、創作ボトルの使用や、開口部分脱落防止用部分１をキャラクター等や、フーセン等にしたりすると家庭用だけではなく、営業用としても幅広く活用出来、需要拡大も図れる。
【実施例３】図１０は化粧水の空きボトル再利用時の媒体物と挿入品で、糸巻き、糸止め溝イのない開口部分脱落防止用部分１に、自家製化粧水の材料の分量や、作り方その他を両面印刷したものの、糸２の先に、釣り針様式部分４をつけ、Ｕ型針の先に、玉止め部分ウのある応用型媒体物に対して、釣り針様式部分４との、取り付け穴部分アの設けられた、挿入物品飛散防止用二重部分付き収納袋６の中に、好みの収納袋専用挿入薬草バッグ類オを入れて作る。収納袋専用バッグ類オの種類は、多岐にわたって開発される分野でもある又、自家製の材料を組み合わせての、収納袋の単独使用も、今後アイデアが生かせる分野である。
【実施例４】図１１はブーツ類の、脱臭や乾燥の為の、媒体物と挿入品の利用法で、ブーツの横に差し込めるクリップ部分クを付けた、開口部分脱落防止用部分１の糸２の先に、複数の脱臭剤又は、乾燥剤を、吊し柿状にして挿入品を取り付けた、一体型の媒体物の応用的利用法である。ロングやショートのサイズで、挿入品３の数が増減する。尚、靴底部分には、より強力な脱臭剤や乾燥剤を使うようにする。
【図面の簡単な説明】
【００１０】
【図１】  媒体物本体Ａの正面図である。
【図２】  媒体物本体Ａと挿入品一体型で、基本型の正面図である。
【図３】  媒体物本体Ａに、釣り針様式部分を付けた、応用型Ａ１の正面図である。
【図４】  応用型Ａ１との組み合わせ挿入品の正面図である。
【図５】  応用型Ａ１との組み合わせ挿入品の正面図である。
【図６】  媒体物本体Ａと収納袋一体型の正面図である。
【図７】  実施例１の正面図である。
【図８】  実施例２の正面図である。
【図９】  実施例２の贈答用セット商品の正面図である。
【図１０】  実施例３の正面図である。
【図１１】  実施例４の断面図である。
【符号の説明】
【００１１】      ア    取り付け穴部分
イ    糸巻き、糸どめ溝部分
ウ    玉止め部分
エ    挿入物品飛散防止用二重部分
オ    収納袋専用挿入バッグ類
カ    転倒防止おもり部分
キ    キャップ
ク    クリップ部分
【図１】
2005134860.tif 000003
【図２】
2005134860.tif 000004
【図３】
2005134860.tif 000005
【図５】
2005134860.tif 000006
【図６】
2005134860.tif 000007
【図７】
2005134860.tif 000008
【図８】
2005134860.tif 000009
【図９】
2005134860.tif 000010
【図１０】
2005134860.tif 000011
【図１１】
2005134860.tif 000012
【手続補正書】
【提出日】平成16年1月29日(2004.1.29)
【手続補正１】
【補正対象書類名】明細書
【補正対象項目名】００１０
【補正方法】変更
【補正の内容】
【００１０】
【図１】  媒体物本体Ａの正面図である。
【図２】  媒体物本体Ａと挿入品一体型で、基本型の正面図である。
【図３】  媒体物本体Ａに、釣り針様式部分を付けた、応用型Ａ１の正面図である。
【図４】  応用型Ａ１との組み合わせ挿入品の正面図である。
【図５】  媒体物本体Ａと収納袋一体型の正面図である。
【図６】  実施例１の正面図である。
【図７】  実施例２の正面図である。
【図８】  実施例２の贈答用セット商品の正面図である。
【図９】  実施例３の正面図である。
【図１０】  実施例４の断面図である。
【手続補正２】
【補正対象書類名】図面
【補正対象項目名】全図
【補正方法】変更
【補正の内容】
【図１】
2005134860.tif 000013
【図２】
2005134860.tif 000014
【図３】
2005134860.tif 000015
【図４】
2005134860.tif 000016
【図５】
2005134860.tif 000017
【図６】
2005134860.tif 000018
【図７】
2005134860.tif 000019
【図８】
2005134860.tif 000020
【図９】
2005134860.tif 000021
【図１０】
2005134860.tif 000022